(57)【特許請求の範囲】
【請求項１】
各薬剤に関する薬剤情報を保持する第１薬剤マスタと、前記薬剤情報以外の各薬剤の出力形態を定める項目の情報を記憶する第２薬剤マスタとを記憶する記憶部と、
登録対象の薬剤を前記第２薬剤マスタで定められた前記出力形態で出力するか否かを識別する識別手段と、
前記識別手段によって定められた前記出力形態で出力することが識別された前記薬剤に対応する前記出力形態を定めた情報を出力する出力制御手段と、
を備える薬剤登録装置。
【請求項２】
前記第２薬剤マスタは、定められた前記出力形態として、前記薬剤を分類するための前記項目の情報を記憶し、
前記出力制御手段は、前記項目の情報に基づいて、前記薬剤情報をグループ分けして出力する請求項１に記載の薬剤登録装置。
【請求項３】
前記第２薬剤マスタは、定められた前記出力形態として、前記薬剤情報に含まれた薬剤名を他の薬剤名に置換するための前記項目の情報を記憶し、
前記出力制御手段は、前記項目の情報に基づいて、前記薬剤情報に含まれる薬剤名を他の薬剤名に置換して出力する請求項１又は２に記載の薬剤登録装置。
【請求項４】
前記出力制御手段は、前記薬剤名に対応付けて、当該薬剤名の出力に用いた前記第１薬剤マスタ又は前記第２薬剤マスタのマスタ名を出力する請求項３に記載の薬剤登録装置。
【請求項５】
前記第２薬剤マスタは、定められた前記出力形態として、前記薬剤情報の出力順序を定めた前記項目の情報を含み、
前記出力制御手段は、前記項目の情報に基づいて、前記薬剤情報の順序を並び替えて出力する請求項１〜４の何れか一項に記載の薬剤登録装置。
【請求項６】
各薬剤に関する薬剤情報を保持する第１薬剤マスタと、前記薬剤情報以外の各薬剤の出力形態を定める項目の情報を記憶する第２薬剤マスタとを記憶する記憶部を備えるコンピュータを、
登録対象の薬剤を前記第２薬剤マスタで定められた前記出力形態で出力するか否かを識別する識別手段と、
前記識別手段によって定められた前記出力形態で出力することが識別された前記薬剤に対応する前記出力形態を定めた情報を出力する出力制御手段と、
として機能させるためのプログラム。
【発明の詳細な説明】
【技術分野】
【０００１】
本発明の実施形態は、薬剤登録装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
手術室においては、看護師が、手術で使用された薬剤の空容器を手術後に集め、使用薬剤についての集計結果を伝票に手作業で記入した後、伝票を医事課へ提出する作業を行っていた。
【０００４】
しかしながら、手術中の想定外の薬剤使用、あるいは救急処置室などにおける突発的な薬剤の使用等も頻繁にあり、使用薬剤についての記録及び集計は、必ずしも所定時間内に正確に確実に行なわれているとはいえない。また、装置を導入するとしても、現行運用の手書き伝票との相違点が障壁となっている。
【発明の概要】
【発明が解決しようとする課題】
【０００５】
本発明が解決しようとする課題は、伝票の出力形式を容易にカスタマイズすることが可能な薬剤登録装置およびプログラムを提供することである。
【課題を解決するための手段】
【０００６】
実施形態の薬剤登録装置は、各薬剤に関する薬剤情報を保持する第１薬剤マスタと、前記薬剤情報以外の各薬剤の出力形態を定める項目の情報を記憶する第２薬剤マスタとを記憶する記憶部と、登録対象の薬剤を前記第２薬剤マスタで定められた前記出力形態で出力するか否かを識別する識別手段と、前記識別手段によって定められた前記出力形態で出力することが識別された前記薬剤に対応する前記出力形態を定めた情報を出力する出力制御手段と、を備える。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、院内薬剤マスタのデータフォーマットの一例の説明図である。
【図５】図５は、薬剤登録装置の機能構成を示すブロック図である。
【図６】図６は、薬剤情報が印字された使用品伝票を示す正面図である。
【図７】図７は、薬剤登録装置のＭＰＵが制御プログラムに従って実行する使用薬剤登録処理の流れを示すフローチャートである。
【図８】図８は、ログイン画面の一例を示す説明図である。
【図９】図９は、患者登録画面の一例を示す説明図である。
【図１０】図１０は、薬剤登録開始画面の一例を示す説明図である。
【図１１】図１１は、手入力画面の一例を示す説明図である。
【図１２】図１２は、薬剤登録画面の一例を示す説明図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、看護師によって手術中に使用された薬剤の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１２】
装置本体部２４は、オペレータとなる看護師が各種操作を行うとともに、使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１７】
ここで、タッチパネルディスプレイ２１、スキャナ２２、プリンタ２３及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１８】
なお、タッチパネルディスプレイ２１は、表示部であるディスプレイ３５及びタッチパネル３６を主体に構成されている。
【００１９】
また、記憶部である外部記憶装置３４は、使用薬剤記憶テーブルＴを備えている。また、外部記憶装置３４は、薬剤マスタとして、第１外部薬剤マスタＭ１と、第２外部薬剤マスタＭ２と、院内薬剤マスタＭ３とを備えている。使用薬剤記憶テーブルＴは、使用された薬剤についての集計結果を記憶する。第１外部薬剤マスタＭ１及び第２外部薬剤マスタＭ２は、薬剤情報を有する外部機関が公開した薬剤データベースである。そして、第１外部薬剤マスタＭ１及び第２外部薬剤マスタＭ２は、コード情報と、正式薬剤名称とが関連付けられて記憶されている。
【００２０】
院内薬剤マスタＭ３は、第１外部薬剤マスタＭ１及び第２外部薬剤マスタＭ２に記憶された薬剤情報の出力形態を定めた薬剤情報を記憶した薬剤データベースである。薬剤情報の出力形態を定めた情報とは、例えば、病院内でのみ使用されている伝票の印字形態や表示形態などである。更に詳しくは、例えば、薬剤の分類名と、分類ごとの薬剤の印字形態や、薬剤を記載する順番や、薬剤の通称などである。
【００２１】
なお、外部薬剤マスタは、１種類であってもよいし、３種類以上であってもよい。薬剤情報をバス４０で接続された外部記憶装置３４に記憶することで、本実施形態は、ネットワークが整備されていない環境においても使用可能である。
【００２２】
ここで、図４は、院内薬剤マスタＭ３のデータフォーマットの一例の説明図である。図４に示すように、院内薬剤マスタＭ３は、コード情報と、分類番号と、分類名と、薬番号と、表示用通称と、印字用通称とが関連付けられて記憶されている。コード情報は、薬剤を識別するための識別子である。例えば、コード情報は、バーコードに付されている番号である。または、例えば、コード情報は、薬剤の外面情報などであってもよい。
【００２３】
分類番号は、薬剤の分類ごとにある個別の番号であって、分類番号の順番で伝票等に印字される。分類名は、薬剤の分類の名称である。例えば、分類名は、常用薬品、アブレーション用、劇薬、麻薬などである。薬番号は、薬剤ごとにある個別の番号であって、薬番号の順番で伝票等に印字される。表示用通称は、ディスプレイ３５に表示する場合に用いられる、病院内で使用されている薬剤の通称である。印字用通称は、伝票等に印字する場合に用いられる、病院内で使用されている薬剤の通称である。ディスプレイ３５の表示領域と、伝票の印字領域とは、面積が異なっている場合が多い。そこで、表示用通称と、印字用通称とを使用とすることにより、本実施形態は、識別性を高めることが可能となる。なお、表示用通称と、印字用通称とは、統一の通称のみであってもよい。
【００２４】
また、院内薬剤マスタＭ３のデータフォーマットは、コード情報と、一部の情報のみであってもよい。例えば、院内薬剤マスタＭ３のデータフォーマットは、コード情報と、分類名のみであってもよい。または、コード情報と、表示用通称と、印字用通称のみであってもよい。または、コード情報と、薬番号のみであってもよい。
【００２５】
また、院内薬剤マスタＭ３のデータフォーマットは、新たな情報を付加してもよい。例えば、薬剤の価格や、薬剤の購入メーカや、禁忌や副作用などの注意事項や、薬剤の外面写真などの情報を追加してもよい。
【００２６】
このような構成により、薬剤登録装置２０のＭＰＵ３１は、ＲＯＭ３２や外部記憶装置３４に記憶された制御プログラムに従って動作することで、使用された薬剤の登録支援を行う。
【００２７】
次に、実施形態にかかる薬剤登録装置２０が有する特徴的な機能について説明する。図５は、薬剤登録装置２０の機能構成を示すブロック図である。ＭＰＵ３１は、ＲＯＭ３２や外部記憶装置３４に記憶された制御プログラムに従って動作することで、図５に示すように、登録手段３１１と、表示制御手段３１２と、読取手段３１３と、識別手段３１４と、印字制御手段３１５と、として機能する。
【００２８】
読取手段３１３は、スキャナ２２がスキャンした撮像画像から、薬剤の識別子を読み取る。具体的には、読取手段３１３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００２９】
識別手段３１４は、読取手段３１３による読み取り結果として得られた情報（コード情報または外面情報）に基づいて薬剤を識別して薬剤情報を抽出する。具体的には、識別手段３１４は、読取手段３１３が読み取ったコード情報と一致するコード情報を薬剤マスタから検索することで識別する。識別手段３１４は、まず院内薬剤マスタＭ３を検索する。読取手段３１３が読み取ったコード情報と一致するコード情報が、院内薬剤マスタＭ３に含まれていない場合に、識別手段３１４は、第１外部薬剤マスタＭ１を検索する。読取手段３１３が読み取ったコード情報と一致するコード情報が第１外部薬剤マスタＭ１に含まれていない場合に、識別手段３１４は、第２外部薬剤マスタＭ２を検索する。
【００３０】
また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００３１】
登録手段３１１は、識別手段３１４で識別された薬剤を、外部記憶装置３４の使用薬剤記憶テーブルＴに登録する。
【００３２】
出力制御手段である表示制御手段３１２は、表示部であるディスプレイ３５に、識別手段３１４が識別した薬剤情報の表示を制御する。識別手段３１４が院内薬剤マスタＭ３から薬剤情報を検出した場合に、表示制御手段３１２は、院内薬剤マスタＭ３に記憶された表示用通称を用いて表示する。識別手段３１４が院内薬剤マスタＭ３から薬剤情報を検出しない場合に、表示制御手段３１２は、第１外部薬剤マスタＭ１又は第２外部薬剤マスタＭ２に記憶された正式薬剤名称を用いて表示する。
【００３３】
出力制御手段である印字制御手段３１５は、印字部であるプリンタ２３を制御して、識別手段３１４が識別した薬剤情報を印字させる。識別手段３１４が院内薬剤マスタＭ３から薬剤情報を検出した場合に、印字制御手段３１５は、院内薬剤マスタＭ３に記憶された印字用通称を用いて印字する。識別手段３１４が院内薬剤マスタＭ３から薬剤情報を検出しない場合に、印字制御手段３１５は、第１外部薬剤マスタＭ１又は第２外部薬剤マスタＭ２に記憶された正式薬剤名称を用いて印字する。ここで、図６は、薬剤情報が印字された使用品伝票Ｄを示す正面図である。
【００３４】
図６に示すように、使用品伝票Ｄは、ヘッダＤ１と、基本情報Ｄ２と、使用薬剤データＤ３と、廃棄品データＤ４と、承認印欄Ｄ５とを備えている。ヘッダＤ１は、伝票名称を印字する領域である。基本情報Ｄ２は、出力日時と、対象期間と、発行場所と、作業者と、患者数とを印字する領域である。
【００３５】
使用薬剤データＤ３は、Ｎｏ列と、薬品名列と、単位列と、本数列と、定数列と、を印字する。Ｎｏ列は、分類名と、項目Ｎｏとが印字される。分類名は、薬剤の分類の名称である。対象となる薬剤が院内薬剤マスタＭ３に含まれている場合に、対象となる薬剤は、院内薬剤マスタＭ３の分類名が記載された欄に印字される。また、分類名は、分類番号の順番で印字される。一方、対象となる薬剤が院内薬剤マスタＭ３に含まれていない場合に、対象となる薬剤は、分類名がその他の欄に、登録された順番で印字される。項目Ｎｏは、薬剤種別ごとに付与される一連の番号であって、分類名が異なる場合であっても一連の番号が継続して付与される。
【００３６】
薬品名列は、薬剤名と、薬剤マスタ名と、薬剤のコード番号とを印字している。薬剤名は、対象となる薬剤が院内薬剤マスタＭ３に含まれている場合に、院内薬剤マスタＭ３の印字用通称が、薬番号の順番で印字される。これにより、薬剤名は、識別性が向上する。また、薬剤名は、適切な文字数の情報が印字されることから印字面積を効率的に使用することが可能となる。薬剤マスタ名は、印字に使用した薬剤情報を有する薬剤マスタの名称が印字される。これにより、オペレータは、病院内でのみ使用される通称であるか否かを判別することが可能となる。薬剤のコード番号は、薬剤のコードシンボルに付されている番号である。
【００３７】
なお、薬剤マスタ名を識別する方法は、専用の欄を設けて印字してもよい。または、マーク等を付加して識別できるようにしてもよい。または、表示する色を変えることで識別できるようにしてもよい。
【００３８】
図６に示すように、単位列は、対象の薬剤の使用量の基準を示している。本数列は、対象の薬剤が使用された量を示している。定数列は、対象の薬剤が常備される量を示している。これにより、薬剤部は、薬剤の補充等を行う。廃棄品データＤ４は、廃棄された薬剤が印字される領域である。承認印欄Ｄ５は、承認印を捺印する欄が印字される領域である。
【００３９】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００４０】
図７は、薬剤登録装置２０のＭＰＵ３１が制御プログラムに従って実行する使用薬剤登録処理の流れを示すフローチャートである。図８に示すように、薬剤登録装置２０のＭＰＵ３１は、初期状態として、ディスプレイ３５にログイン画面を表示する（ステップＳ１）。薬剤登録装置２０の操作が許可されている各オペレータ（看護師）は、ＩＤカードを有し、ＩＤカードの認証により薬剤登録装置２０の操作が可能になるものとする。
【００４１】
図８は、ログイン画面Ｇ１の一例を示す説明図である。ログイン画面Ｇ１には、図８に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００４２】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００４３】
薬剤登録装置２０のＭＰＵ３１は、ログイン処理により看護師ＩＤを認証すると（ステップＳ２のＹｅｓ）、ディスプレイ３５の表示画面に患者登録画面を表示する（ステップＳ３）。なお、薬剤登録装置２０のＭＰＵ３１は、看護師ＩＤが認証できない場合（ステップＳ２のＮｏ）、ステップＳ１に戻り、ログイン画面Ｇ１を再度表示する。
【００４４】
図９は、患者登録画面Ｇ２の一例を示す説明図である。患者登録画面Ｇ２には、図９に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００４５】
したがって、オペレータ（看護師）は、患者登録処理を行うために、患者のリストバンドに付されている患者ＩＤのコードシンボルをスキャナ２２の前にかざして、患者ＩＤを読み込ませる。
【００４６】
薬剤登録装置２０のＭＰＵ３１は、患者登録処理により患者ＩＤを登録すると（ステップＳ４；Ｙｅｓ）、ディスプレイ３５の表示画面に薬剤登録開始画面Ｇ３を表示させる。なお、薬剤登録装置２０のＭＰＵ３１は、患者ＩＤが登録できない場合（ステップＳ４；Ｎｏ）、ステップＳ３に戻り、患者登録画面Ｇ２を再度表示する。
【００４７】
ここで、図１０は、薬剤登録開始画面Ｇ３の一例を示す説明図である。薬剤登録開始画面Ｇ３は、図１０に示すように、薬剤のコードシンボルの読み取らせ方が表示される。また、薬剤登録開始画面Ｇ３は、中止ボタンＢ１と、手入力ボタンＢ２とを備えている。中止ボタンＢ１は、薬剤登録を中止するボタンである。手入力ボタンＢ２は、薬剤のコードシンボルに付されている数字を手入力で登録する場合に押下するボタンである。
【００４８】
中止ボタンＢ１が押下された場合に（ステップＳ６；Ｙｅｓ）、薬剤登録装置２０のＭＰＵ３１は、薬剤登録中止画面（図示せず）を表示（ステップＳ７）して薬剤登録を終了する。一方、中止ボタンＢ１が押下されない場合に（ステップＳ６；Ｎｏ）、薬剤登録装置２０のＭＰＵ３１は、手入力ボタンＢ２が押下されるか否か判定する（ステップＳ８）。
【００４９】
手入力ボタンＢ２が押下されず（ステップＳ８；Ｎｏ）、スキャナ２２の前に薬剤がかざされた場合に、薬剤登録装置２０のＭＰＵ３１は、コードシンボルを読み取る（ステップＳ９）。
【００５０】
一方、手入力ボタンＢ２が押下された場合に（ステップＳ８；Ｙｅｓ）、薬剤登録装置２０のＭＰＵ３１は、手入力画面Ｇ４を表示させる。図１１は、手入力画面Ｇ４の一例を示す説明図である。図１１の（ａ）は、手入力画面Ｇ４の検索前を示す一例である。図１１の（ａ）は、「薬剤コードを入力して下さい。」とのガイドコメントを表示して、コードシンボルに付されているコード情報の入力を求める。図１１の（ｂ）は、手入力画面Ｇ４の検索後を示す一例である。図１１の（ｂ）は、「薬剤を確定して下さい。」とのガイドコメントを表示して、検索条件と一致した候補一覧から薬剤の確定を求める。また、図１１に示すように、手入力画面Ｇ４は、数字ボタンＢ３と、検索ボタンＢ４と、キャンセルボタンＢ５と、確定ボタンＢ６とを備えている。
【００５１】
数字ボタンＢ３は、コードシンボルに付されているコード情報を入力する場合に使用するボタンである。数字ボタンＢ３は、０から９までの数字と、誤入力時に使用する一文字削除ボタンとを備えている。検索ボタンＢ４は、入力した番号と、一致するコード情報を有する薬剤とを検索する場合に使用するボタンである。検索ボタンＢ４が押下されると、薬剤登録装置２０のＭＰＵ３１は、手入力画面Ｇ４の検索後の画面を表示する。
【００５２】
キャンセルボタンＢ５は、手入力を中止する場合に使用するボタンである。確定ボタンＢ６は、検索した薬剤を確定する場合に使用するボタンである。キャンセルボタンＢ５が押下されると（ステップＳ１１；Ｙｅｓ）、薬剤登録装置２０のＭＰＵ３１は、手入力画面Ｇ４を消去してステップＳ６に戻る。キャンセルボタンＢ５が押下されず（ステップＳ１１；Ｎｏ）、確定ボタンＢ６も押下されない場合に（ステップＳ１２；Ｎｏ）、薬剤登録装置２０のＭＰＵ３１は、ステップＳ１０に戻り、手入力画面Ｇ４を維持する。確定ボタンＢ６が押下された場合に（ステップＳ１２；Ｙｅｓ）、薬剤登録装置２０のＭＰＵ３１は、手入力画面Ｇ４を消去してステップＳ１３に移行する。
【００５３】
次いで、薬剤登録装置２０のＭＰＵ３１は、確定した薬剤のコード情報に対応する薬剤情報が院内薬剤マスタＭ３に含まれているか否かを判定する（ステップＳ１３）。薬剤情報が院内薬剤マスタＭ３に含まれている場合に（ステップＳ１３；Ｙｅｓ）、薬剤登録装置２０のＭＰＵ３１は、院内薬剤マスタＭ３の情報を使用薬剤記憶テーブルＴに登録する（ステップＳ１４）。
【００５４】
コード情報に対応する薬剤情報が院内薬剤マスタＭ３に含まれていない場合に（ステップＳ１３；Ｎｏ）、薬剤登録装置２０のＭＰＵ３１は、第１外部薬剤マスタＭ１を検索する（ステップＳ１５）。第１外部薬剤マスタＭ１に含まれている場合に（ステップＳ１５；Ｙｅｓ）、薬剤登録装置２０のＭＰＵ３１は、第１外部薬剤マスタＭ１の情報を使用薬剤記憶テーブルＴに登録する（ステップＳ１６）。
【００５５】
コード情報に対応する薬剤情報が第１外部薬剤マスタＭ１に含まれていない場合に（ステップＳ１５；Ｎｏ）、薬剤登録装置２０のＭＰＵ３１は、第２外部薬剤マスタＭ２を検索する（ステップＳ１７）。第２外部薬剤マスタＭ２に含まれていた場合に（ステップＳ１７；Ｙｅｓ）、薬剤登録装置２０のＭＰＵ３１は、第２外部薬剤マスタＭ２の情報を使用薬剤記憶テーブルＴに登録する（ステップＳ１８）。コード情報に対応する薬剤情報が第２外部薬剤マスタＭ２に含まれていない場合に（ステップＳ１７；Ｎｏ）、薬剤登録装置２０のＭＰＵ３１は、薬剤を登録せずにステップＳ６に戻り再度の入力を求める。
【００５６】
次いで、薬剤登録装置２０のＭＰＵ３１は、使用薬剤記憶テーブルＴに登録された内容を薬剤登録画面Ｇ５に表示する（ステップＳ１９）。ここで、図１２は、薬剤登録画面Ｇ５の一例を示す説明図である。薬剤登録画面Ｇ５は、図１２に示すように、使用薬剤記憶テーブルＴに登録された薬剤の一覧を表示する画面である。コード情報に対応した薬剤情報が院内薬剤マスタＭ３に含まれている場合に、薬剤登録装置２０のＭＰＵ３１は、薬剤名を表示用通称にて表示する。コード情報に対応した薬剤情報が第１外部薬剤マスタＭ１又は第２外部薬剤マスタＭ２に含まれていた場合には、薬剤登録装置２０のＭＰＵ３１は、薬剤名を正式名称にて表示する。薬剤登録画面Ｇ５は、中止ボタンＢ１と、手入力ボタンＢ２と、印刷ボタンＢ７とを備えている。
【００５７】
薬剤登録装置２０のＭＰＵ３１は、印刷ボタンＢ７が押下されるか否かを判定する（ステップＳ２０）。印刷ボタンＢ７が押下されない場合に（ステップＳ２０；Ｎｏ）、薬剤登録装置２０のＭＰＵ３１は、ステップＳ６に戻り再度の入力を求める。
【００５８】
一方、印刷ボタンＢ７が押下された場合に（ステップＳ２０；Ｙｅｓ）、薬剤登録装置２０のＭＰＵ３１は、使用薬剤記憶テーブルＴに登録された内容を使用品伝票Ｄに印刷する（ステップＳ２１）。
【００５９】
以上のように、本実施形態によれば、第１外部薬剤マスタＭ１と、第２外部薬剤マスタＭ２と、薬剤情報の出力形態を定めた院内薬剤マスタＭ３とを備えている。そして、院内薬剤マスタＭ３は、薬剤の分類、通称及び表示順番など出力形態を定めた薬剤情報を有している。薬剤登録装置２０のＭＰＵ３１は、院内薬剤マスタＭ３で定められた出力形態で、表示または印字することにより、伝票の出力形式を容易にカスタマイズすることが可能となる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
なお、上記実施形態では、登録した薬剤をディスプレイ３５に表示する際に、薬剤情報が含まれていた薬剤マスタを表示していないが、薬剤情報が含まれていた薬剤マスタを表示してもよい。例えば、薬剤マスタは、薬剤名の横に括弧などで覆う様にして表示してもよい。または、専用の欄を設けてもよい。または、マーク等を付加して識別できるようにしてもよい。または、表示する色を変えることで識別できるようにしてもよい。
【００６２】
なお、上記実施形態では、薬剤登録装置２０のディスプレイ３５に表示する際に、登録された順番で表示を行っている。しかし、表示方法は、これに限らない。例えば、薬剤の分類番号の順番で、薬剤の分類ごとに表示する。また、薬剤分類内においては、薬剤を薬番号の順番で表示してもよい。
【００６３】
なお、上記実施形態では、第１外部薬剤マスタＭ１と、第２外部薬剤マスタＭ２と、院内薬剤マスタＭ３とは、外部記憶装置３４に配置されていると説明している。しかし、薬剤マスタは、外部記憶装置３４以外に配置されてもよい。例えば、薬剤マスタは、薬剤部サーバ１９に配置されていてもよい。この場合には、通信ネットワーク１７が整備されている環境に、薬剤登録装置２０を設置し、通信インタフェース３８を用いて薬剤部サーバ１９と通信を行えばよい。
【００６４】
なお、上記実施形態では、薬剤に付されたバーコードや二次元コードなどのコードシンボルからコード情報を読み取ると説明しているが、コード情報は、コードシンボル以外であってもよい。例えば、コード情報は、ＲＦＩＤなどからコード情報を読み取るとしてもよい。この場合には、ＲＦＩＤリーダライタ等を新たに備えればよい。
【００６５】
なお、上記実施形態では、フローチャートにおいて、患者ＩＤを入力すると説明しているが、患者ＩＤは入力しないとしてもよい。これにより、急患の患者が運ばれてきた際にも速やかに業務を行うことが可能となる。
【００６６】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６７】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６８】
３４    外部記憶装置
Ｍ３    院内薬剤マスタ
３１１  登録手段
３１２  表示制御手段
３１３  読取手段
３１４  識別手段
３１５  印字制御手段
Ｄ      使用品伝票
【先行技術文献】
【特許文献】
【００６９】
【特許文献１】特開２００２−１６３３５７号公報
【図１】
0005852057.tif 000002
【図２】
0005852057.tif 000003
【図３】
0005852057.tif 000004
【図４】
0005852057.tif 000005
【図５】
0005852057.tif 000006
【図６】
0005852057.tif 000007
【図７】
0005852057.tif 000008
【図８】
0005852057.tif 000009
【図９】
0005852057.tif 000010
【図１０】
0005852057.tif 000011
【図１１】
0005852057.tif 000012
【図１２】
0005852057.tif 000013